(57)【要約】【課題】リムの叩打を短時間に検出しつつリムの叩打以外の振動の影響を抑えてリムの叩打を検出できる電子ドラムを提供する。【解決手段】電子ドラム１００は、円筒状に形成されてヘッド１０１を支持するシェル１０３の内部にセンサ支持体１２０および覆い体１３０をそれぞれ備えている。センサ支持体１２０は、金属材を平板リング状に形成して構成されている。覆い体１３０は、センサ支持体１２０と平行に延びる平板リング状の支持部１３１と、この支持部１３１の内周部からセンサ支持体１２０側に屈曲して延びる壁状の側壁部１３２とが一体的に形成されて構成されている。これらのセンサ支持体１２０および覆い体１３０は、シェル１０３の外周面に設けられたラグ１０４に連結されている。ラグ１０４は、ヘッド１０１をシェル１０３に押し付けるフープ１０６にテンションボルト１０７を介して連結されている。【選択図】  図３
2018136388.tif 000002
【特許請求の範囲】
【請求項１】
筒状に形成されたシェルと、
前記シェルの一方の端部に設けられて演奏者によって叩かれる打面を構成するヘッドと、
前記ヘッドの外縁部を前記シェルに押し付けるためのリング状のフープと、
前記シェルの外周面に設けられて前記フープを介したテンションボルトをネジ嵌合させることで前記フープを前記シェル側に押し付けるラグと、
前記ラグと連結された状態で前記シェルの内周面に設けられたセンサ支持体と、
前記センサ支持体に設けられて前記演奏者による前記フープの叩打によって生じる振動を検出するリムセンサとを備えたことを特徴とする電子ドラム。
【請求項２】
請求項１に記載した電子ドラムにおいて、
前記センサ支持体は、
前記シェルの内周面から前記ヘッドの中央部分に達しない範囲で同ヘッドに平行に張り出していることを特徴とする電子ドラム。
【請求項３】
請求項１または請求項２に記載した電子ドラムにおいて、
前記センサ支持体は、
前記シェルの内周面に沿ったリング状に形成されており、
前記リムセンサは、
前記センサ支持体上に複数設けられていることを特徴とする電子ドラム。
【請求項４】
請求項１ないし請求項３のうちのいずれか１つに記載した電子ドラムにおいて、
前記センサ支持体は、
前記シェルの内周面に対して非接触状態で設けられていることを特徴とする電子ドラム。
【請求項５】
請求項１ないし請求項４のうちのいずれか１つに記載した電子ドラムにおいて、
前記リムセンサは、
前記センサ支持体における前記ヘッドとは反対側の面に設けられていることを特徴とする電子ドラム。
【請求項６】
請求項１ないし請求項５のうちのいずれか１つに記載した電子ドラムにおいて、さらに、
前記センサ支持体における前記ヘッド側に対向配置されて同センサ支持体の少なくとも一部を覆う覆い体を備え、
前記リムセンサは、
前記センサ支持体における前記覆い体が覆う部分に設けられていることを特徴とする電子ドラム。
【請求項７】
請求項６に記載した電子ドラムにおいて、
前記覆い体は、
前記演奏者による前記ヘッドの叩打によって生じる振動を検出するヘッドセンサを備えることを特徴とする電子ドラム。
【発明の詳細な説明】
【技術分野】
【０００１】
本発明は、手、スティックまたはビータなどで叩かれた打面の衝撃を検出して電子的な楽音を発生させる電子ドラムに関する。
【背景技術】
【０００２】
従来から、手、スティックまたはビータなどで叩かれた打面の衝撃を検出して電子的な楽音を発生させる電子ドラムがある。例えば、下記特許文献１には、筒状部材の一方の端部に演奏者によって叩打されるヘッドを設けるとともに他方の端部に円板状のリムセンサ支持部材を設けて、このリムセンサ支持部材の中心部にリムセンサを設けた電子ドラムが開示されている。ここで、リムセンサは、電子ドラムのフープの先端部であるリムが演奏者によって叩打された際の振動を検出して同振動に対応する電気信号を出力する検出器である。
【先行技術文献】
【特許文献】
【０００３】
【特許文献１】特開２０１０−２８２１５７号公報
【０００４】
しかしながら、上記特許文献１に記載された電子ドラムにおいては、リムセンサがフープとは反対側のフープから離れた位置に設けられているため、リムの叩打の検出に時間が掛かるとともにリムの叩打以外の振動の影響を受けることによりリムの叩打の検出精度が低下するという問題があった。
【０００５】
本発明は上記問題に対処するためなされたもので、その目的は、リムの叩打を短時間に検出しつつリムの叩打以外の振動の影響を抑えてリムの叩打を検出できる電子ドラムを提供することにある。
【発明の概要】
【０００６】
上記目的を達成するため、本発明の特徴は、筒状に形成されたシェルと、シェルの一方の端部に設けられて演奏者によって叩かれる打面を構成するヘッドと、ヘッドの外縁部をシェルに押し付けるためのリング状のフープと、シェルの外周面に設けられてフープを介したテンションボルトをネジ嵌合させることでフープをシェル側に押し付けるラグと、ラグと連結された状態でシェルの内周面に設けられたセンサ支持体と、センサ支持体に設けられて演奏者によるフープの叩打によって生じる振動を検出するリムセンサとを備えたことにある。この場合、電子ドラムには、電子的なバスドラム、スネアドラム、タムタムおよびフロアタムなどが含まれる。
【０００７】
このように構成した本発明の特徴によれば、電子ドラムは、リムセンサがフープにテンションボルトを介して連結されたラグおよびこのラグに連結されたセンサ支持体に設けられているため、リムの叩打を短時間でかつリムの叩打以外の振動の影響を抑えて検出できる。また、本発明に係る電子ドラムによれば、従来よりも低感度のリムセンサを用いることができるため、叩打以外の振動の影響をより抑えることができる。
【０００８】
また、本発明の他の特徴は、前記電子ドラムにおいて、センサ支持体は、シェルの内周面からヘッドの中央部分に達しない範囲で同ヘッドに平行に張り出していることにある。この場合、ヘッドの中央部とは、ヘッドにおける演奏者が主に叩打する部分であり、ヘッドの中心を中心としてヘッドの外径（直径）の２／３の直径の円内の領域である。また、センサ支持体は、ヘッドに対して平行に延びる板状または棒状に形成することができる。
【０００９】
このように構成した本発明の他の特徴によれば、電子ドラムは、センサ支持体がシェルの内周面からヘッドの中央部分に達しない範囲で同ヘッドに平行に張り出して形成されているため、ヘッドが最も振動する中央部の振動の影響を受け難くすることができるとともにヘッドを叩打した際の衝撃波を妨げることなくシェル外に放出することができる。
【００１０】
また、本発明の他の特徴は、前記電子ドラムにおいて、センサ支持体は、シェルの内周面に沿ったリング状に形成されており、リムセンサは、センサ支持体上に複数設けられていることにある。
【００１１】
このように構成した本発明の他の特徴によれば、電子ドラムは、リング状に形成されたセンサ支持体上に複数のリムセンサが設けられているため、リング状のフープ（リム）の叩打位置に拘らず精度良くリムの叩打を検出することができる。
【００１２】
また、本発明の他の特徴は、前記電子打楽器において、電子ドラムにおいて、センサ支持体は、シェルの内周面に対して非接触状態で設けられていることにある
【００１３】
このように構成した本発明の他の特徴によれば、電子ドラムは、センサ支持体がシェルの内周面に対して非接触状態で設けられているため、シェルに生じた振動の影響を抑えてリムの振動を検出することができリムの叩打の検出精度を向上させることができる。
【００１４】
また、本発明の他の特徴は、前記電子ドラムにおいて、リムセンサは、センサ支持体におけるヘッドとは反対側の面に設けられていることにある。
【００１５】
このように構成した本発明の他の特徴によれば、電子ドラムは、リムセンサがセンサ支持体におけるヘッドとは反対側の面に設けられているため、演奏者がヘッド側からリムセンサを視認し難く電子ドラムの美観を向上させることができるとともに、ヘッドの叩打による衝撃波によってリムの叩打の検出精度が低下することも抑えることができる。
【００１６】
また、本発明の他の特徴は、電子ドラムにおいて、さらに、センサ支持体におけるヘッド側に対向配置されて同センサ支持体の少なくとも一部を覆う覆い体を備え、リムセンサは、センサ支持体における覆い体が覆う部分に設けられていることにある。
【００１７】
このように構成した本発明の他の特徴によれば、電子ドラムは、センサ支持体におけるヘッド側の少なくとも一部を覆う覆い体を備えるとともに、リムセンサがセンサ支持体における覆い体で覆われた部分に設けられているため、演奏者がヘッド側からリムセンサを視認し難く電子ドラムの美観を向上させることができるとともに、ヘッドの叩打による衝撃波および電子ドラムの周囲に存在する楽器などからの振動による影響を防いでリムの叩打の検出精度が低下することを抑えることもできる。
【００１８】
また、本発明の他の特徴は、電子ドラムにおいて、覆い体は、演奏者によるヘッドの叩打によって生じる振動を検出するヘッドセンサを備えることにある。
【００１９】
このように構成した本発明の他の特徴によれば、電子ドラムは、ヘッドセンサを覆い体に設けているため、ヘッドセンサの支持だけのための部品を省略して電子ドラムを効率的に構成することができる。
【図面の簡単な説明】
【００２０】
【図１】本発明の一実施形態に係る電子ドラムの外観構成の概略を示す斜視図である。
【図２】図１に示す電子ドラムのヘッドを省略して内部構成の概略を示す斜視図である。
【図３】図１に示す電子ドラムの内部構成の概略を示す断面図である。
【図４】図１に示す電子ドラムにおけるラグと取付具との接続構造を示す一部拡大断面図である。
【図５】本発明の変形例に係る電子ドラムラグと取付具との接続構造を示す一部拡大断面図である。
【図６】本発明の他の変形例に係る電子ドラムラグと取付具との接続構造を示す一部拡大断面図である。
【図７】本発明の他の変形例に係る電子ドラムのヘッドを省略して内部構成を示す斜視図である。
【図８】図７に示す電子ドラムの内部構成の概略を示す断面である。
【図９】本発明の他の変形例に係る電子ドラムの内部構成の概略を示す断面である。
【図１０】本発明の他の変形例に係る電子ドラムの内部構成の概略を示す断面である。
【発明を実施するための形態】
【００２１】
以下、本発明に係る電子ドラムの一実施形態について図面を参照しながら説明する。図１は、本発明に係る電子ドラム１００の外観構成の概略を示した斜視図である。また、図２は、図１に示す電子ドラム１００の内部構成の概略を示すためにヘッド１０１を省略した斜視図である。また、図３は、図１に示す電子ドラム１００の内部構成の概略を示す断面図である。なお、本明細書において参照する図は、本発明の理解を容易にするために一部の構成要素を誇張して表わすなど模式的に表している。このため、各構成要素間の寸法や比率などは異なっていることがある。この電子ドラム１００は、演奏者（図示せず）がスティック（図示せず）を介して叩いた打面１０１ａの衝撃を検出して電子的な楽音を発生させるスネアドラム型の電子打楽器である。
【００２２】
（電子ドラム１００の構成）
電子ドラム１００は、ヘッド１０１を備えている。ヘッド１０１は、演奏者によるスティック操作で叩かれることで振動および弾性変形する部品であり、布材または樹脂材をシート状または薄板状に形成して構成されている。具体的には、ヘッド１０１は、透明または半透明の樹脂製のシート材または薄板材、またはメッシュ状に形成した布材または樹脂材で構成されている。本実施形態においては、ヘッド１０１は、メッシュ状のシート体を平面視で円形に形成して構成されている。このヘッド１０１は、外縁部がヘッド枠１０２によって保持されている。
【００２３】
ヘッド枠１０２は、ヘッド１０１をシェル１０３上にテンションを張った状態で配置するために部品であり、金属材または樹脂材を環状に形成して構成されている。このヘッド枠１０２は、ヘッド１０１の外縁部を保持した状態でシェル１０３の外周部に嵌合している。この場合、ヘッド枠１０２は、環状の上面がフープ１０６によって押さえられている。
【００２４】
シェル１０３は、ヘッド１０１、センサ支持体１２０および覆い体１３０をそれぞれ支持する部品であり、金属材、樹脂材または木材を円筒状に形成して構成されている。このシェル１０３は、一方（図示上側）の端部がヘッド１０１によって閉塞されているとともに、他方（図示下側）の端部がシェルカバー１１０によって閉塞されている。これにより、ヘッド１０１は、シェル１０３の外側に露出する面が打面１０１ａを構成するとともにシェル１０３の内側に面する面が裏面１０１ｂを構成する。このシェル１０３の外周面には、ラグ１０４、カバーラグ１０５および本体取付具１０８がそれぞれ設けられている。
【００２５】
ラグ１０４は、図４に示すように、フープ１０６をヘッド枠１０２の上面に押し付けるための部品であり、シェル１０３の外周面上に張り出した状態で設けられている。より具体的には、ラグ１０４は、シェル１０３の径方向外側に張り出した状態で軸方向に延びる金属製のブロック体で構成されており、このブロック体におけるヘッド枠１０２側（図示上側）の端面にシェル１０３の軸方向に延びる雌ネジ（図示せず）を有して構成されている。すなわち、ラグ１０４は、前記雌ネジにフープ１０６を貫通するテンションボルト１０７が捩じ込まれることでフープ１０６を固定的に支持している。
【００２６】
また、ラグ１０４は、シェル１０３に対向する面にシェル１０３の側面に嵌合する円筒状の２つボス部１０４ａを有しており、このボス部１０４ａを介してセンサ支持体１２０が支持されている。このラグ１０４は、本実施形態においては、ラグ１０４は、シェル１０３の周方向に沿って互いに略均等な間隔で８つ形成されている。
【００２７】
カバーラグ１０５は、ラグ１０４と同様に、後述するカバーフープ１１２をカバー枠１１１の上面に押し付けるための部品であり、シェル１０３の外周面上に張り出した状態で設けられている。より具体的には、カバーラグ１０５は、シェル１０３の径方向外側に張り出した状態で軸方向に延びる金属製のブロック体で構成されており、このブロック体におけるカバー枠側（図示上側）の端面にシェル１０３の軸方向に延びる雌ネジ（図示せず）を有して構成されている。本実施形態においては、カバーラグ１０５は、ラグ１０４に隣接した位置にシェル１０３の周方向に沿って互いに略均等な間隔で８つ形成されている。
【００２８】
フープ１０６は、ヘッド枠１０２の上面を押してヘッド１０１をシェル１０３上で張るための部品であり、金属材を段付きの円筒状に形成して構成されている。より具体的には、フープ１０６は、一方（図示上側）の端部側がヘッド１０１の上面から図示上方に突出して延びるとともに、他方（図示下側）の端部側が径方向外側に張り出してヘッド枠１０２の外側面を覆う円筒状に形成されている。このフープ１０６は、前記他方の端部側におけり径方向外側に張り出した部分がテンションボルト１０７を介してラグ１０４に取り付けられている。なお、このフープ１０６の環状の上端部が演奏者によって叩打されるリムである。
【００２９】
テンションボルト１０７は、フープ１０６をヘッド枠１０２の上面に押さえ付けるための部品であり、金属製の軸体の外周部に雄ネジが形成されたボルトで構成されている。このテンションボルト１０７は、フープ１０６における外径が張り出した部分を貫通した状態でラグ１０４の雌ネジ部分に締め付けられている。これにより、ヘッド１０１は、ヘッド枠１０２がラグ１０４側に引っ張られることによりシェル１０３の端部に押し付けられて平らな膜状に張られた状態となる。
【００３０】
本体取付具１０８は、この電子ドラムをスタンド（図示せず）に取り付けるための部品であり、金属製のブロック体にシェル１０３の軸方向に延びる雌ネジ（図示せず）を有して構成されている。
【００３１】
シェルカバー１１０は、シェル１０３におけるヘッド１０１側とは反対側を覆うための部品であり、布材または樹脂材をシート状または薄板状に形成して構成されている。本実施形態においては、シェルカバー１１０は、ヘッド１０１と同様に、メッシュ状のシート体を平面視で円形に形成して構成されている。このシェルカバー１１０は、外縁部がカバー枠１１１によって保持されている。
【００３２】
カバー枠１１１は、前記ヘッド枠１０２と同様に、シェルカバー１１０をシェル１０３上にテンションを張った状態で配置するために部品であり、金属材または樹脂材を環状に形成して構成されている。このカバー枠１１１は、シェルカバー１１０の外縁部を保持した状態でシェル１０３の外周部に嵌合している。この場合、カバー枠１１１は、環状の上面がカバーフープ１１２によって押さえられている。
【００３３】
カバーフープ１１２は、前記フープ１０６と同様に、カバー枠１１１の上面を押してシェルカバー１１０をシェル１０３上で張るための部品であり、金属材を段付きの円筒状に形成して構成されている。より具体的には、カバーフープ１１２は、一方（図示上側）の端部側がヘッド１０１の上面から図示上方に突出して延びるとともに、他方（図示下側）の端部側が径方向外側に張り出してカバー枠１１１の外側面を覆う円筒状に形成されている。このカバーフープ１１２は、前記他方の端部側におけり径方向外側に張り出した部分がカバーテンションボルト１１３を介してカバーラグ１０５に取り付けられている。
【００３４】
カバーテンションボルト１１３は、前記テンションボルト１０７と同様に、カバーフープ１１２をカバー枠１１１の上面に押さえ付けるための部品であり、金属製の軸体の外周部に雄ネジが形成されたボルトで構成されている。このカバーテンションボルト１１３は、カバーフープ１１２における外径が張り出した部分を貫通した状態でカバーラグ１０５の雌ネジ部分に締め付けられている。これにより、シェルカバー１１０は、カバー枠１１１がカバーラグ１０５側に引っ張られることによりシェル１０３の端部に押し付けられて平らな膜状に張られた状態となる。
【００３５】
一方、シェル１０３の内周面には、センサ支持体１２０および覆い体１３０がそれぞれ設けられている。センサ支持体１２０は、シェル１０３内でリムセンサ１２２を支持するための部品であり、金属材（鋼板または非鉄金属など）または樹脂材を平板リング状に形成して構成されている。本実施形態においては、センサ支持体１２０は、フープ１０６からの振動の伝達性が良好な金属材を用いて構成されている。このセンサ支持体１２０は、外径がシェル１０３の内径よりも小さく形成されてセンサ支持体１２０の外周部がシェル１０３の内周面に接しない大きさに形成されている。
【００３６】
また、センサ支持体１２０の内径は、ヘッド１０１の中央部分に達しない大きさに形成されている。この場合、ヘッド１０１の中央部とは、ヘッド１０１における演奏者が主に叩打する部分であり、ヘッド１０１の中心を中心としてヘッドの外径（直径）の２／３の直径の円内の領域である。このセンサ支持体１２０は、取付具１２１を介してシェル１０３を挟んだ状態でラグ１０４に連結されている。
【００３７】
取付具１２１は、センサ支持体１２０および覆い体１３０をそれぞれシェル１０３を挟んだ状態でラグ１０４に連結するための部品であり、金属製（鋼板または非鉄金属など）または樹脂製の板状体の両端部をそれぞれ屈曲させた形状（換言すれば、断面がコ字状）に形成して構成されている。この場合、取付具１２１は、金属製のネジ１２１ａを介してラグ１０４のボス部１０４ａに取り付けられている。また、センサ支持体１２０および覆い体１３０は、金属製のネジ１２１ｂを介して取付具１２１に取り付けられている。
【００３８】
すなわち、センサ支持体１２０は、取付具１２１を介してラグ１０４とともにシェル１０３を挟んだ状態でシェル１０３の内側に取り付けられている。この場合、センサ支持体１２０は、ヘッド１０１と平行な姿勢で取り付けられている。本実施形態においては、センサ支持体１２０は、８つのラグ１０４に対してそれぞれ取付具１２１を介して連結されてシェル１０３の内周面に取り付けられている。この場合、センサ支持体１２０は、シェル１０３の内周面とは非接触の状態で設けられる。
【００３９】
リムセンサ１２２は、演奏者がフープ１０６の先端部であるリムを叩打した振動を検出するための検出器であり、センサ支持体１２０の振動に応じた電気信号からなる検出信号を図示しない信号処理装置に出力する。本実施形態においては、リムセンサ１２２は、圧電セラミックスの両面にそれぞれ電極を配置するとともに、これらの電極の一方に金属板を配置したピエゾ素子によって構成されている。
【００４０】
このリムセンサ１２２は、センサ支持体１２０におけるヘッド１０１に対向する面に周方向に沿って均等な間隔で３つ設けられている。この場合、各リムセンサ１２２は、図示しない両面テープまたは接着剤などによってセンサ支持体１２０上に固着されている。そして、これら３つのリムセンサ１２２は、図示しない配線を介して検出信号を出力するためのフォーン端子１２３に接続されている。フォーン端子１２３は、リムセンサ１２２およびヘッドセンサ１３３の各検出信号を信号処理装置などの外部機器に接続するための部品であり、シェル１０３の外側に露出した状態でシェル１０３に取り付けられている。
【００４１】
ここで、信号処理装置は、電子ドラム１００とは別体で設けられるマイクロコンピュータを備えて構成されており、リムセンサ１２２およびヘッドセンサ１３３からそれぞれ出力される検出信号に基づいて楽音信号を出力する電子回路、すなわち、音源である。この信号処理装置には、図示しない外部スピーカが接続されている。
【００４２】
覆い体１３０は、シェル１０３内でセンサ支持体１２０を覆うとともにヘッドセンサ１３３を支持するための部品であり、金属材（鋼板または非鉄金属など）または樹脂材を平板リング状に形成して構成されている。より具体的には、覆い体１３０は、センサ支持体１２０と平行に延びる平板リング状の支持部１３１と、この支持部１３１の内周部からセンサ支持体１２０側に屈曲して延びる壁状の側壁部１３２とが一体的に形成されて構成されている。本実施形態においては、覆い体１３０は、ヘッド１０１以外からの振動がヘッドセンサ１３３に伝達されることを抑制するため樹脂材で構成されている。
【００４３】
この覆い体１３０は、外径および内径はセンサ支持体１２０と同じ大きさに形成されている。この覆い体１３０は、センサ支持体１２０に対してヘッド１０１側であってヘッドセンサ１３３がヘッド１０１に接触するとともにセンサ支持体１２０におけるリムセンサ１２２の支持面を覆うように取付具１２１を介してシェル１０３の内周面に取り付けられている。この場合、覆い体１３０は、シェル１０３の内周面およびセンサ支持体１２０とは非接触の状態で設けられる。
【００４４】
ヘッドセンサ１３３は、ヘッド１０１の振動を検出する検出器であり、ヘッド１０１の振動に応じた電気信号からなる検出信号を前記フォーン端子１２３に出力する。本実施形態においては、ヘッドセンサ１３３は、ピエゾ素子によって構成されているが、光センサなど他の検出素子を用いることもできる。このヘッドセンサ１３３は、クッション体１３４を介してヘッド１０１の裏面１０１ｂを押圧した状態で支持部１３１上に図示しない両面テープまたは接着剤などによって固着されている。この場合、本実施形態においては、ヘッドセンサ１３３は、前記３つのリムセンサ１２２の各真上の支持部１３１上に配置されている。
【００４５】
クッション体１３４は、ヘッド１０１の振動からヘッドセンサ１３３を保護しつつ振動を精度良くヘッドセンサ１３３に伝達するための部品であり、ゴム材または弾性を有する樹脂材を円錐台形状に形成して構成されている。この場合、クッション体１３４は、小径の先端部がヘッド１０１の裏面１０１ｂに押圧されているとともに大径の下面部分にヘッドセンサ１３３が図示しない両面テープまたは接着剤を介して取り付けられている。
【００４６】
（電子ドラム１００の作動）
次に、このように構成した電子ドラム１００の作動について説明する。まず、演奏者は、電子ドラム１００、信号処理装置（図示せず）および外部スピーカ（図示せず）をそれぞれ用意した後、電子ドラム１００と信号処理装置とを電気的に接続するとともに、この信号処理装置と外部スピーカとを電気的に接続する。次いで、演奏者は、信号書類送致を操作して電源をＯＮするとともに演奏を行なえる演奏モードに設定する。これにより、電子ドラム１００は、信号処理装置を介して外部スピーカから楽音を出力可能な状態となる。
【００４７】
次に、演奏者は、電子ドラム１００を演奏する。具体的には、演奏者は、スティックを用いてヘッド１０１を叩く。これにより、ヘッドセンサ１３３は、ヘッド１０１およびクッション体１３４をそれぞれ介して伝搬した振動に応じた検出信号をフォーン端子１２３を介して信号処理装置に出力する。この結果、信号処理装置は、ヘッドセンサ１３３から得た検出信号に基づいて楽音を表す楽音信号を生成して外部スピーカに出力する。
【００４８】
また、演奏者は、スティックを用いてフープ１０６の上端部であるリムを叩く。この場合、フープ１０６に生じた振動は、テンションボルト１０７、ラグ１０４およびセンサ支持体１２０を介してリムセンサ１２２に伝搬する。この場合、リムセンサ１２２は、フープ１０６の近傍で、金属材で構成されたフープ１０６、テンションボルト１０７、ラグ１０４およびセンサ支持体１２０を介して振動を検出するため、フープ１０６の叩打を短時間でかつフープ１０６の叩打以外の振動の影響を抑えてフープ１０６の叩打による振動を検出することができる。
【００４９】
したがって、リムセンサ１２２は、フープ１０６、テンションボルト１０７、ラグ１０４およびセンサ支持体１２０をそれぞれ介して伝搬した振動に応じた検出信号をフォーン端子１２３を介して信号処理装置に出力する。この結果、信号処理装置は、リムセンサ１２２から得た検出信号に基づいて楽音を表す楽音信号を生成して外部スピーカに出力する。なお、信号処理装置は、リムセンサ１２２およびヘッドセンサ１３３から同時に検出信号を得た場合にはそれぞれの検出信号に基づいて楽音を表す楽音信号を生成して外部スピーカに出力する。
【００５０】
次に、演奏者は、電子ドラム１００と信号処理装置との電気的な接続を解消するとともに、この信号処理装置と外部スピーカとの電気的な接続を解消する。これにより、演奏者は、電子ドラム１００の演奏を終了することができる。
【００５１】
上記作動説明からも理解できるように、上記実施形態によれば、電子ドラム１００は、リムセンサ１２２がフープ１０６にテンションボルト１０７を介して連結されたラグ１０４およびこのラグ１０４に連結されたセンサ支持体１２０に設けられているため、フープ１０６のリムの叩打を短時間でかつリムの叩打以外の振動の影響を抑えて検出できる。
【００５２】
さらに、本発明の実施にあたっては、上記実施形態に限定されるものではなく、本発明の目的を逸脱しない限りにおいて種々の変更が可能である。なお、下記各変形例において、上記実施形態と同様の構成部分については同じ符号を付して、その説明を省略する。
【００５３】
例えば、上記実施形態においては、取付具１２１は、シェル１０３の側壁に接触している。すなわち、センサ支持体１２０および覆い体１３０は、剛体である取付具１２１を介してシェル１０３の側壁に接触している。しかし、取付具１２１は、図５および図６にそれぞれ示すように、シェル１０３の側壁と取付具１２１との間に振動を減衰させるための緩衝体１２４を介してシェル１０３に取り付けることができる。
【００５４】
この場合、緩衝体１２４は、硬質樹脂材（例えば、ポリプロピレン樹脂、ＡＢＳ樹脂など）、軟質の樹脂材（ウレタン樹脂、塩化ビニルなどその他各種エラストマ）、硬質または軟質のゴム材、またはフェルトなどの各種弾性体を板状（図５参照）または筒状（図６参照）に形成して構成することができる。これによれば、センサ支持体１２０および覆い体１３０は、剛性の高い金属材を介してシェル１０３に接触することがなくなるため、リムセンサ１２２およびヘッドセンサ１３３にシェル１０３からの振動が伝搬することを更に抑制することができる。
【００５５】
特に、センサ支持体１２０および覆い体１３０に取付具１２１に相当する部分を一体的に形成した場合（図９および図１０参照）には軟質の樹脂材やフェルトなどの軟質材からなる緩衝体１２４をシェル１０３との間に配置することは有効である。なお、緩衝体１２４は、金属材料で構成することも可能であるが、その場合には、シェル１０３への接触面積をセンサ支持体１２０を支持するために必要最小限の大きさに形成することで振動の伝搬を抑えることができる。
【００５６】
また、上記実施形態においては、電子ドラム１００は、覆い体１３０を備えて構成した。しかし、電子ドラム１００は、覆い体１３０を省略して構成することもできる。図７および図８は、覆い体１３０を省略した電子ドラム２００をそれぞれ示している。この電子ドラム２００は、センサ支持体１２０におけるヘッド１０１側の面（図示上面）にヘッドセンサ１３３が設けられているとともに、ヘッド１０１側とは反対側の面（図示下面）にリムセンサ１２２が設けられている。これにより、電子ドラム２００は、構成部品を減らして構成を簡単化することができる。なお、この場合、リムセンサ１２２は、センサ支持体１２０におけるヘッド１０１側の面（図示上面）に設けることもできる。
【００５７】
また、上記実施形態においては、センサ支持体１２０を平板リング状に形成した。しかし、センサ支持体１２０は、ラグ１０４と連結されてリムセンサ１２２を支持するように構成されていればよい。したがって、センサ支持体１２０は、例えば、図９に示すように、板状体の一方（または両方）の端部が屈曲したＬ字状（またはコ字状）でリムセンサ１２２を支持可能な平面視で方形状の板状体で構成してもよい。これによれば、電子ドラム３００は、センサ支持体１２０を小型化できるとともに取付具１２１を省略して構成を簡単化することができる。
【００５８】
また、センサ支持体１２０は、ヘッド１０１に対向してヘッド１０１と同等な円板上に形成することもできる。また、センサ支持体１２０は、図１０に示すように、シェル１０３に対して対向して板状体が平行に延びる帯状に形成することもできる。この場合、リムセンサ１２２は、シェル１０３の側壁と平行な姿勢でセンサ支持体１２０に取り付けられる。また、ヘッドセンサ１３３は、板状体の一方の端部を屈曲させたＬ字状の平面視で方形状の板状体からなるヘッドセンサ支持体１３５で支持することができる。この場合、ヘッドセンサ支持体１３５は、接着剤によってシェル１０３の内周面に固着されている。これによれば、電子ドラム４００は、リムセンサ１２２がラグ１０４の近傍に対向配置されているため、フープ１０６の振動をより効果的に検出することができる。
【００５９】
また、上記実施形態においては、覆い体１３０は、支持部１３１および側壁部１３２を備えて平面視で平板リング状に形成した。しかし、覆い体１３０は、センサ支持体１２０の少なくとも一部を覆うように構成されていればよい。したがって、覆い体１３０は、側壁部１３２を省略して支持部１３１のみで構成することもできる。また、覆い体１３０は、センサ支持体１２０を部分的に覆う形状、例えば、板状体の一方の端部を屈曲させたＬ字状の平面視で方形状の板状体（図９におけるセンサ支持体１２０と同様な形状）で構成することもできる。
【００６０】
また、上記実施形態においては、センサ支持体１２０および覆い体１３０をそれぞれシェル１０３に対して非接触状態で設けた。これにより、電子ドラム１００は、シェル１０３に生じたまたは伝搬した振動がセンサ支持体１２０および覆い体１３０に伝搬することを防止することができる。しかし、センサ支持体１２０および覆い体１３０は、図９および図１０にそれぞれ示すように、シェル１０３に接触した状態で設けることもできる。これによれば、センサ支持体１２０および覆い体１３０をより強固かつ安定的に設けることができる。なお、この場合、センサ支持体１２０および覆い体１３０とシェル１０３の内周面との間に前記緩衝体１２４を配置することで、シェル１０３からの振動の伝搬を抑制することができる。
【００６１】
また、上記実施形態においては、電子ドラム１００は、３つのリムセンサ１２２を備えて構成した。しかし、電子ドラム１００は、少なくとも１のリムセンサ１２２を備えていればよい。また、リムセンサ１２２は、センサ支持体１２０におけるヘッド１０１側の面またはヘッド１０１側の面とは反対側の面に設けることができる。
【００６２】
また、上記実施形態においては、電子ドラム１００は、シェルカバー１１０を備えて構成した。しかし、電子ドラム１００は、図９および図１０にそれぞれ示すように、シェルカバー１１０、カバーラグ１０５、カバー枠１１１、カバーフープ１１２およびカバーテンションボルト１１３をそれぞれ省略して構成することもできる。なお、図９および図１０にそれぞれ示す電子ドラム３００，４００は、シェル１０３の外周面にラグ１０４が４つ設けられており、テンションボルト１０７の図示が省略されている。
【００６３】
また、上記実施形態においては、電子ドラム１００は、３つのヘッドセンサ１３３を覆い体１３０に設けた。しかし、ヘッドセンサ１３３は、少なくとも１つ設けられていればよいとともに、覆い体１３０以外の部品、例えば、ヘッドセンサ１３３を支持する専用の部品（例えば、図９におけるセンサ支持体１２０または図１０におけるヘッドセンサ支持体１３５と同様な形状の部品）を介して設けるようにしてもよい。
【００６４】
また、本実施形態においては、電子ドラム１００は、スネアドラム型で構成した。しかし、電子ドラム１００は、スティックのほか、手やビータによって叩打される電子的なバスドラム、タムタムおよびフロアタムなどで構成することもできる。
【符号の説明】
【００６５】
１００，２００，３００，４００…電子ドラム、１０１…ヘッド、１０１ａ…打面、１０１ｂ…裏面、１０２…ヘッド枠、１０３…シェル、１０４…ラグ、１０４ａ…ボス部、１０５…カバーラグ、１０６…フープ、１０７…テンションボルト、１０８…本体取付部、
１１０…シェルカバー、１１１…カバーラグ、１１２…カバーフープ、１１３…カバーテンションボルト、
１２０…センサ支持体、１２１…取付具、１２１ａ…ネジ、１２１ｂ…ネジ、１２２…リムセンサ、１２３…フォーン端子、１２４…緩衝体、
１３０…覆い体、１３１…支持部、１３２…側壁部、１３３…ヘッドセンサ、１３４…クッション体、１３５…ヘッドセンサ支持体。
【図１】
2018136388.tif 000003
【図２】
2018136388.tif 000004
【図３】
2018136388.tif 000005
【図４】
2018136388.tif 000006
【図５】
2018136388.tif 000007
【図６】
2018136388.tif 000008
【図７】
2018136388.tif 000009
【図８】
2018136388.tif 000010
【図９】
2018136388.tif 000011
【図１０】
2018136388.tif 000012
【手続補正書】
【提出日】平成29年5月17日(2017.5.17)
【手続補正１】
【補正対象書類名】明細書
【補正対象項目名】００２８
【補正方法】変更
【補正の内容】
【００２８】
フープ１０６は、ヘッド枠１０２の上面を押してヘッド１０１をシェル１０３上で張るための部品であり、金属材を段付きの円筒状に形成して構成されている。より具体的には、フープ１０６は、一方（図示上側）の端部側がヘッド１０１の上面から図示上方に突出して延びるとともに、他方（図示下側）の端部側が径方向外側に張り出してヘッド枠１０２の外側面を覆う円筒状に形成されている。このフープ１０６は、前記他方の端部側における径方向外側に張り出した部分がテンションボルト１０７を介してラグ１０４に取り付けられている。なお、このフープ１０６の環状の上端部が演奏者によって叩打されるリムである。
【手続補正２】
【補正対象書類名】明細書
【補正対象項目名】００３２
【補正方法】変更
【補正の内容】
【００３２】
カバー枠１１１は、前記ヘッド枠１０２と同様に、シェルカバー１１０をシェル１０３上にテンションを張った状態で配置するための部品であり、金属材または樹脂材を環状に形成して構成されている。このカバー枠１１１は、シェルカバー１１０の外縁部を保持した状態でシェル１０３の外周部に嵌合している。この場合、カバー枠１１１は、環状の下面がカバーフープ１１２によって押さえられている。
【手続補正３】
【補正対象書類名】明細書
【補正対象項目名】００３３
【補正方法】変更
【補正の内容】
【００３３】
カバーフープ１１２は、前記フープ１０６と同様に、カバー枠１１１の下面を押してシェルカバー１１０をシェル１０３上で張るための部品であり、金属材を段付きの円筒状に形成して構成されている。より具体的には、カバーフープ１１２は、一方（図示下側）の端部側がシェルカバー１１０の下面から図示下方に突出して延びるとともに、他方（図示上側）の端部側が径方向外側に張り出してカバー枠１１１の外側面を覆う円筒状に形成されている。このカバーフープ１１２は、前記他方の端部側における径方向外側に張り出した部分がカバーテンションボルト１１３を介してカバーラグ１０５に取り付けられている。
【手続補正４】
【補正対象書類名】明細書
【補正対象項目名】００３４
【補正方法】変更
【補正の内容】
【００３４】
カバーテンションボルト１１３は、前記テンションボルト１０７と同様に、カバーフープ１１２をカバー枠１１１の下面に押さえ付けるための部品であり、金属製の軸体の外周部に雄ネジが形成されたボルトで構成されている。このカバーテンションボルト１１３は、カバーフープ１１２における外径が張り出した部分を貫通した状態でカバーラグ１０５の雌ネジ部分に締め付けられている。これにより、シェルカバー１１０は、カバー枠１１１がカバーラグ１０５側に引っ張られることによりシェル１０３の端部に押し付けられて平らな膜状に張られた状態となる。
【手続補正５】
【補正対象書類名】明細書
【補正対象項目名】００４６
【補正方法】変更
【補正の内容】
【００４６】
（電子ドラム１００の作動）
次に、このように構成した電子ドラム１００の作動について説明する。まず、演奏者は、電子ドラム１００、信号処理装置（図示せず）および外部スピーカ（図示せず）をそれぞれ用意した後、電子ドラム１００と信号処理装置とを電気的に接続するとともに、この信号処理装置と外部スピーカとを電気的に接続する。次いで、演奏者は、信号処理装置を操作して電源をＯＮするとともに演奏を行なえる演奏モードに設定する。これにより、電子ドラム１００は、信号処理装置を介して外部スピーカから楽音を出力可能な状態となる。
【手続補正６】
【補正対象書類名】明細書
【補正対象項目名】００６５
【補正方法】変更
【補正の内容】
【００６５】
１００，２００，３００，４００…電子ドラム、１０１…ヘッド、１０１ａ…打面、１０１ｂ…裏面、１０２…ヘッド枠、１０３…シェル、１０４…ラグ、１０４ａ…ボス部、１０５…カバーラグ、１０６…フープ、１０７…テンションボルト、１０８…本体取付部、
１１０…シェルカバー、１１１…カバー枠、１１２…カバーフープ、１１３…カバーテンションボルト、
１２０…センサ支持体、１２１…取付具、１２１ａ…ネジ、１２１ｂ…ネジ、１２２…リムセンサ、１２３…フォーン端子、１２４…緩衝体、
１３０…覆い体、１３１…支持部、１３２…側壁部、１３３…ヘッドセンサ、１３４…クッション体、１３５…ヘッドセンサ支持体。
【手続補正書】
【提出日】平成29年10月2日(2017.10.2)
【手続補正１】
【補正対象書類名】特許請求の範囲
【補正対象項目名】全文
【補正方法】変更
【補正の内容】
【特許請求の範囲】
【請求項１】
筒状に形成されたシェルと、
前記シェルの一方の端部に設けられて演奏者によって叩かれる打面を構成するヘッドと、
前記ヘッドの外縁部を前記シェルに押し付けるためのリング状のフープと、
前記シェルの外周面に設けられて前記フープを介したテンションボルトをネジ嵌合させることで前記フープを前記シェル側に押し付けるラグと、
前記ラグと連結された状態で前記シェルの内周面に設けられたセンサ支持体と、
前記センサ支持体に設けられて前記演奏者による前記フープの叩打によって生じる振動を検出するリムセンサとを備え、
前記センサ支持体は、
前記シェルの内周面から前記ヘッドの中央部分に達しない範囲で同ヘッドに平行に張り出した平板リング状または同内周面に対向して板状体が平行に延びる帯状に形成されて前記内周面の周方向に沿って前記シェルに前記ラグを介してまたは直接支持されていることを特徴とする電子ドラム。
【請求項２】
請求項１に記載した電子ドラムにおいて、
前記リムセンサは、
前記センサ支持体上に複数設けられていることを特徴とする電子ドラム。
【請求項３】
請求項１または請求項２に記載した電子ドラムにおいて、さらに、
前記平板リング状に形成された前記センサ支持体における前記ヘッド側に対向配置される平板リング状の支持部および同支持部の内周部から前記センサ支持体側に屈曲して壁状に延びる側壁部を有して前記センサ支持体の上方および内周部側をそれぞれ覆う覆い体を備え、
前記リムセンサは、
前記センサ支持体における前記覆い体に覆われた部分に設けられていることを特徴とする電子ドラム。
【請求項４】
請求項３に記載した電子ドラムにおいて、
前記覆い体は、
前記センサ支持体に対して非接触の状態で設けられていることを特徴とする電子ドラム。
【請求項５】
請求項３または請求項４に記載した電子ドラムにおいて、
前記覆い体は、
前記演奏者による前記ヘッドの叩打によって生じる振動を検出するヘッドセンサを備えることを特徴とする電子ドラム。
【請求項６】
請求項１に記載した電子ドラムにおいて、
前記リムセンサは、
前記平板リング状に形成された前記センサ支持体における前記ヘッドとは反対側の面に設けられていることを特徴とする電子ドラム。
【手続補正２】
【補正対象書類名】明細書
【補正対象項目名】０００６
【補正方法】変更
【補正の内容】
【０００６】
上記目的を達成するため、本発明の特徴は、筒状に形成されたシェルと、シェルの一方の端部に設けられて演奏者によって叩かれる打面を構成するヘッドと、ヘッドの外縁部をシェルに押し付けるためのリング状のフープと、シェルの外周面に設けられてフープを介したテンションボルトをネジ嵌合させることでフープをシェル側に押し付けるラグと、ラグと連結された状態でシェルの内周面に設けられたセンサ支持体と、センサ支持体に設けられて演奏者によるフープの叩打によって生じる振動を検出するリムセンサとを備え、センサ支持体は、シェルの内周面からヘッドの中央部分に達しない範囲で同ヘッドに平行に張り出した平板リング状または同内周面に対向して板状体が平行に延びる帯状に形成されて前記内周面の周方向に沿ってシェルにラグを介してまたは直接支持されていることにある。この場合、電子ドラムには、電子的なバスドラム、スネアドラム、タムタムおよびフロアタムなどが含まれる。
【手続補正３】
【補正対象書類名】明細書
【補正対象項目名】０００８
【補正方法】変更
【補正の内容】
【０００８】
この場合、ヘッドの中央部とは、ヘッドにおける演奏者が主に叩打する部分であり、ヘッドの中心を中心としてヘッドの外径（直径）の２／３の直径の円内の領域である。また、センサ支持体は、ヘッドに対して平行に延びる板状または棒状に形成することができる。これによれによれば、電子ドラムは、センサ支持体がシェルの内周面からヘッドの中央部分に達しない範囲で同ヘッドに平行に張り出して形成されているため、ヘッドが最も振動する中央部の振動の影響を受け難くすることができるとともにヘッドを叩打した際の衝撃波を妨げることなくシェル外に放出することができる。
【手続補正４】
【補正対象書類名】明細書
【補正対象項目名】０００９
【補正方法】変更
【補正の内容】
【０００９】
また、本発明の他の特徴は、前記電子ドラムにおいて、リムセンサは、センサ支持体上に複数設けられていることにある。
【手続補正５】
【補正対象書類名】明細書
【補正対象項目名】００１０
【補正方法】変更
【補正の内容】
【００１０】
このように構成した本発明の他の特徴によれば、電子ドラムは、センサ支持体上に複数のリムセンサが設けられているため、リング状のフープ（リム）の叩打位置に拘らず精度良くリムの叩打を検出することができる。
【手続補正６】
【補正対象書類名】明細書
【補正対象項目名】００１１
【補正方法】変更
【補正の内容】
【００１１】
また、本発明の他の特徴は、前記電子ドラムにおいて、さらに、平板リング状に形成されたセンサ支持体におけるヘッド側に対向配置される平板リング状の支持部および同支持部の内周部からセンサ支持体側に屈曲して壁状に延びる側壁部を有してセンサ支持体の上方および内周部側をそれぞれ覆う覆い体を備え、リムセンサは、センサ支持体における覆い体に覆われた部分に設けられていることにある。
【手続補正７】
【補正対象書類名】明細書
【補正対象項目名】００１２
【補正方法】変更
【補正の内容】
【００１２】
このように構成した本発明の他の特徴によれば、電子ドラムは、センサ支持体におけるヘッド側を覆う覆い体を備えるとともに、リムセンサがセンサ支持体における覆い体で覆われた部分に設けられているため、演奏者がヘッド側からリムセンサを視認し難く電子ドラムの美観を向上させることができるとともに、ヘッドの叩打による衝撃波および電子ドラムの周囲に存在する楽器などからの振動による影響を防いでリムの叩打の検出精度が低下することを抑えることもできる。なお、覆い体は、センサ支持体におけるヘッド側に対向配置されて同センサ支持体の少なくとも一部を覆うように構成することもできる。
【手続補正８】
【補正対象書類名】明細書
【補正対象項目名】００１３
【補正方法】変更
【補正の内容】
【００１３】
また、本発明の他の特徴は、前記電子ドラムにおいて、覆い体は、センサ支持体に対して非接触の状態で設けられていることにある。
【手続補正９】
【補正対象書類名】明細書
【補正対象項目名】００１４
【補正方法】変更
【補正の内容】
【００１４】
また、本発明の他の特徴は、前記電子ドラムにおいて、覆い体は、演奏者によるヘッドの叩打によって生じる振動を検出するヘッドセンサを備えることにある。
【手続補正１０】
【補正対象書類名】明細書
【補正対象項目名】００１５
【補正方法】変更
【補正の内容】
【００１５】
このように構成した本発明の他の特徴によれば、電子ドラムは、ヘッドセンサを覆い体に設けているため、ヘッドセンサの支持だけのための部品を省略して電子ドラムを効率的に構成することができる。
【手続補正１１】
【補正対象書類名】明細書
【補正対象項目名】００１６
【補正方法】変更
【補正の内容】
【００１６】
また、本発明の他の特徴は、前記電子ドラムにおいて、リムセンサは、平板リング状に形成されたセンサ支持体におけるヘッドとは反対側の面に設けられていることにある。
【手続補正１２】
【補正対象書類名】明細書
【補正対象項目名】００１７
【補正方法】変更
【補正の内容】
【００１７】
このように構成した本発明の他の特徴によれば、電子ドラムは、リムセンサがセンサ支持体におけるヘッドとは反対側の面に設けられているため、演奏者がヘッド側からリムセンサを視認し難く電子ドラムの美観を向上させることができるとともに、ヘッドの叩打による衝撃波によってリムの叩打の検出精度が低下することも抑えることができる。
【手続補正１３】
【補正対象書類名】明細書
【補正対象項目名】００１８
【補正方法】変更
【補正の内容】
【００１８】
また、これらの場合、前記電子打楽器において、電子ドラムは、センサ支持体は、シェルの内周面に対して非接触状態で設けるようにしてもよい。これによれば、電子ドラムは、センサ支持体がシェルの内周面に対して非接触状態で設けられているため、シェルに生じた振動の影響を抑えてリムの振動を検出することができリムの叩打の検出精度を向上させることができる。